(57)【要約】【課題】遊技台の台数がある程度以上になっても、該遊技台の現在の状況を容易に視認できるような遊技台管理装置を提供する。【解決手段】遊技場内に配置された複数の遊技島に設けられる複数の遊技台の稼働状況を管理する遊技台管理装置であって、前記複数の遊技島のレイアウトをディスプレイ３４の表示画面に表示させ、該表示画面に表示された各遊技島に属する前記複数の遊技台の現在の状況を表示させる制御を行う表示制御手段と、前記表示画面に表示された前記複数の遊技島の中から希望する遊技島の選択を受け付ける遊技島選択手段と、を備え、前記表示制御手段は、遊技島選択手段による選択が行われていない際は、前記複数の遊技島を一画面中に表示させる制御を行い、遊技島選択手段による選択が行われた際は、該選択された遊技島を前記一画面中に表示させる遊技島の大きさよりも拡大して表示させる制御を行う遊技台管理装置を構成する。【選択図】　　　図８
2004089395.tif 000002
【特許請求の範囲】
【請求項１】
遊技場内に配置された複数の遊技島に設けられる複数の遊技台の稼働状況を管理する遊技台管理装置であって、
前記複数の遊技島のレイアウトを表示画面に表示させ、該表示画面に表示された各遊技島に属する前記複数の遊技台の現在の状況を表示させる制御を行う表示制御手段と、
前記表示画面に表示された前記複数の遊技島の中から希望する遊技島の選択を受け付ける遊技島選択手段と、を備え、
前記表示制御手段は、前記遊技島選択手段による選択が行われていない際は、前記複数の遊技島を一画面中に表示させる制御を行い、前記遊技島選択手段による選択が行われた際は、該選択された遊技島を前記一画面中に表示させる遊技島の大きさよりも拡大して表示させる制御を行うことを特徴とする遊技台管理装置。
【請求項２】
請求項１に記載した遊技台管理装置であって、
前記表示制御手段は、前記選択された遊技島を前記一画面中に表示させる遊技島の大きさよりも拡大して表示させる際に、該選択された遊技島の周辺に配置されている他の遊技島も拡大して表示させる制御を行うことを特徴とする遊技台管理装置。
【請求項３】
請求項１又は２に記載した遊技台管理装置であって、
前記表示制御手段は、前記複数の遊技島を一画面中に表示させる際に、各遊技島の島番号及び該遊技島に属する先頭の遊技台の台番号を含んで表示させる制御を行うことを特徴とする遊技台管理装置。
【請求項４】
請求項１〜３のいずれか１つに記載した遊技台管理装置であって、
前記複数の遊技台の現在の状況に対する選択を受け付ける状況選択手段と、該状況選択手段により選択された状況にある遊技台を検索する遊技台検索手段と、をさらに備え、
前記表示制御手段は、該遊技台検索手段により検索された遊技台の台番号を前記表示画面に一覧表示させる制御を行うことを特徴とする遊技台管理装置。
【請求項５】
請求項４に記載した遊技台管理装置であって、
前記状況選択手段により非稼働である遊技台の選択がされた際に、前記表示制御手段は、前記遊技台検索手段により検索された非稼働の遊技台の台番号と共に該非稼働の時間を前記表示画面に一覧表示させる制御を行うことを特徴とする遊技台管理装置。
【発明の詳細な説明】
【０００１】
【発明の属する技術分野】
本発明は、遊技場内に配置された複数の遊技島に設けられる複数の遊技台の稼働状況を管理する遊技台管理装置に係り、特に複数の遊技島のレイアウトを表示画面に表示させ、該表示画面に表示された各遊技島に属する複数の遊技台の現在の状況を表示させる遊技台管理装置に関する。
【０００２】
【従来の技術】
従来より、特開２００２−９５８４８号公報に示されるように、遊技場に配設された複数の遊技機を管理する遊技機管理装置において、すべての遊技機の台番号を表示画面に表示させる際に、その表示サイズを適切に制御して、全台番号を表示可能な表示サイズで表示するものが知られている。
【０００３】
【発明が解決しようとする課題】
しかしながら、遊技場内に配置された複数の遊技島に設けられる複数の遊技台の稼働状況を管理する遊技台管理装置において、複数の遊技島のレイアウトを表示画面に表示させ、該表示画面に表示された各遊技島に属する複数の遊技台の現在の状況を表示させる際には、たとえ前記遊技機管理装置の如く表示サイズを適切に制御したとしても、遊技台の台数がある程度（例えば数百台）以上になると、該遊技台の現在の状況の表示が小さくなって視認するのが困難になる。
【０００４】
本発明は、このような背景のもとになされたものであり、その目的は、遊技台の台数がある程度以上になっても、該遊技台の現在の状況を容易に視認できるような遊技台管理装置を提供することにある。
【０００５】
【課題を解決するための手段】
本発明は、前記課題を解決するために、次のような手段を採る。
【０００６】
まず請求項１に係る発明は、遊技場内に配置された複数の遊技島に設けられる複数の遊技台の稼働状況を管理する遊技台管理装置であって、前記複数の遊技島のレイアウトを表示画面に表示させ、該表示画面に表示された各遊技島に属する前記複数の遊技台の現在の状況を表示させる制御を行う表示制御手段と、前記表示画面に表示された前記複数の遊技島の中から希望する遊技島の選択を受け付ける遊技島選択手段と、を備え、前記表示制御手段は、前記遊技島選択手段による選択が行われていない際は、前記複数の遊技島を一画面中に表示させる制御を行い、前記遊技島選択手段による選択が行われた際は、該選択された遊技島を前記一画面中に表示させる遊技島の大きさよりも拡大して表示させる制御を行うことを特徴とする遊技台管理装置である。
【０００７】
また請求項２に係る発明は、請求項１に記載した遊技台管理装置であって、前記表示制御手段は、前記選択された遊技島を前記一画面中に表示させる遊技島の大きさよりも拡大して表示させる際に、該選択された遊技島の周辺に配置されている他の遊技島も拡大して表示させる制御を行うことを特徴とする遊技台管理装置である。
【０００８】
また請求項３に係る発明は、請求項１又は２に記載した遊技台管理装置であって、前記表示制御手段は、前記複数の遊技島を一画面中に表示させる際に、各遊技島の島番号及び該遊技島に属する先頭の遊技台の台番号を含んで表示させる制御を行うことを特徴とする遊技台管理装置である。
【０００９】
また請求項４に係る発明は、請求項１〜３のいずれか１つに記載した遊技台管理装置であって、前記複数の遊技台の現在の状況に対する選択を受け付ける状況選択手段と、該状況選択手段により選択された状況にある遊技台を検索する遊技台検索手段と、をさらに備え、前記表示制御手段は、該遊技台検索手段により検索された遊技台の台番号を前記表示画面に一覧表示させる制御を行うことを特徴とする遊技台管理装置である。
【００１０】
さらに請求項５に係る発明は、請求項４に記載した遊技台管理装置であって、前記状況選択手段により非稼働である遊技台の選択がされた際に、前記表示制御手段は、前記遊技台検索手段により検索された非稼働の遊技台の台番号と共に該非稼働の時間を前記表示画面に一覧表示させる制御を行うことを特徴とする遊技台管理装置である。
【００１１】
【発明の実施の形態】
以下、本発明の実施の形態を、図面を参照して説明する。本発明に係る遊技台管理装置３０は、図１に示すように、遊技場内に配置された複数の遊技島２に設けられる複数の遊技台（例えばパチンコ台Ｐや図示しないパチスロ台）の稼働状況を管理するものであって、後述する図７に示すように、遊技島２のレイアウトをディスプレイ３４の表示画面に表示させ、該表示画面に表示された各遊技島２に属する複数の遊技台の現在の状況を表示させるものであり、特に後述する図８に示すように、該表示画面に表示された複数の遊技島の中から希望により選択された遊技島を、前記一画面中に表示させる遊技島の大きさよりも拡大して表示させるものである。
【００１２】
この遊技台管理装置３０を含む遊技用管理システム１は、図１に示すように、遊技場内に配置された複数の遊技島２に設けられる台端末１０と、遊技場内の所定箇所（例えば管理事務所等）に設けられる中継コンピュータ２０と、遊技場内の所定箇所（例えば管理事務所等）に設けられる遊技台管理装置３０からなり、台端末１０は中継コンピュータ２０を介して遊技台管理装置３０と通信可能に接続されている。
【００１３】
ここで台端末１０は台端末装置の一例であって、複数のパチンコ台Ｐ，玉貸ユニットＵ，及び呼出ランプＬに対応して設けられ、該対応するパチンコ台Ｐ，玉貸ユニットＵ，及び呼出ランプＬと予め定められた所定の順序で接続可能な複数の接続端子（ここでは４つの接続端子Ａ，Ｂ，Ｃ，Ｄ）を有し、各接続端子に割り当てられた各パチンコ台Ｐ，玉貸ユニットＵ，及び呼出ランプＬから遊技関連情報を収集して中継コンピュータ２０に送信するものである。また中継コンピュータ２０は中継端末装置の一例であって、台端末１０から送信された遊技関連情報を中継して遊技台管理装置３０に送信するものである。
【００１４】
なお１台の遊技台管理装置３０には最高で１０台の中継コンピュータ２０を接続可能であり、１台の中継コンピュータ２０には最高で４４台の台端末１０を接続可能であり、１台の台端末１０には最高で４台のパチンコ台Ｐ，玉貸ユニットＵ，及び呼出ランプＬを接続可能である。また台端末１０には、後述する貨幣を収集して保管する金庫や、後述するパチンコ玉を計数する計数機や、後述するプリペイドカードを販売する販売機も接続可能である。
【００１５】
遊技場内に配置された複数の遊技島２には、複数のパチンコ台Ｐ，玉貸ユニットＵ，及び呼出ランプＬも設けられている。ここで遊技島２は島番号（島１，２島２…）により識別可能とされており、パチンコ台Ｐは台番号（１番台，２番台…）により識別可能とされている。この図１に示す例では、島１には、左端から右端に向けて１番台〜１０番台（ただし４番台と９番台は欠番）の８台のパチンコ台Ｐ，玉貸ユニットＵ，及び呼出ランプＬが設けられている。また島１の背後に配置された島２には、折り返して右端から左端に向けて１１番台〜２０番台（ただし１４番台と１９番台は欠番）の８台のパチンコ台Ｐ，玉貸ユニットＵ，及び呼出ランプＬが配置されている。そして各パチンコ台，玉貸ユニットＵ，及び呼出ランプＬは、台番号が若い順に４台毎に、各台端末１０の各接続端子Ａ，Ｂ，Ｃ，Ｄに接続されている。
【００１６】
なお後述する図５に示すように、遊技場内には島１〜島３０の遊技島が配置されており、このうちの島１〜島２０には前記図１と同様に各８台のパチンコ台Ｐ，玉貸ユニットＵ，及び呼出ランプＬが設けられており、島２１〜島３０には各８台のパチスロ台，メダル貸ユニット，及び呼出ランプＬが設けられている。
【００１７】
以下、図１に示す各構成要素について説明する。パチンコ台Ｐは遊技台の一例であって、遊技媒体であるパチンコ玉を遊技領域に打ち込むことにより遊技を行うものであり、遊技領域には、始動入賞口，大入賞口，一般入賞口等の複数の入賞口や、複数種類の識別情報である図柄を可変表示可能な可変表示装置等が設けられている。
【００１８】
このパチンコ台Ｐからは、遊技関連情報として、以下に説明するスタート信号，特賞信号，確変信号，アウト玉信号，及びセーフ玉信号の各種の信号が出力される。
【００１９】
具体的には、まず遊技領域に打ち込まれて遊技に使用されたパチンコ玉（以下「打込玉」という。）が始動入賞口に入賞した場合には、可変表示装置の可変表示が開始されて所定時間の経過後に該可変表示が停止すると共に、該可変表示の停止を特定可能な情報として、１パルスのスタート信号が出力される。
【００２０】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な情報として、該特賞の発生から終了までの間において継続的な特賞信号が出力される。
【００２１】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として、該確変の発生から終了までの間において継続的な確変信号が出力される。この確変は、初回の特賞の発生を含めて例えば合計２回の特賞が発生することにより通常確率に復帰して終了すると共に、該２回目の特賞が前記特別の所定態様となった場合には、該確変が継続（いわゆる連チャン）する。
【００２２】
なお各入賞口に入賞した打込玉及びいずれの入賞口にも入賞しなかった打込玉は、パチンコ台Ｐの背後に設けられたアウトタンクに導かれ、該アウトタンクに付設された打込玉カウンタにて打込玉数が計数されると共に、該打込玉数を特定可能な情報として、１０個のパチンコ玉が計数される毎に１パルスのアウト玉信号が出力される。
【００２３】
また補給樋からパチンコ台Ｐに対してパチンコ玉が補給された場合には、該補給樋に敷設された補給玉カウンタにて補給玉数が計数されると共に、該補給玉数を特定可能な情報として、１０個のパチンコ玉が計数される毎に１パルスのセーフ玉信号が出力される。なお遊技の結果として遊技者の所有となったパチンコ玉は、遊技島２の端部や中央部等に設けられた計数機にて計数される。
【００２４】
なおパチンコ台Ｐからは、前記遊技関連情報の他にも、前記補給に異常がある場合，前記入賞口への入賞に応じて付与される賞球に異常がある場合，及びパチンコ台Ｐの前面扉が開放された場合等に、それらの異常を示す継続的な異常信号が出力され、またパチンコ台Ｐ，玉貸ユニットＵ，及び呼出ランプＬで通信エラーがある場合に、継続的なエラー信号が出力される。
【００２５】
ここで遊技台はパチンコ台Ｐには限られず、遊技者所有の有価価値（例えばメダル）を賭数として使用することで遊技が可能となり、複数種類の識別情報を可変表示可能な可変表示装置を含み、該可変表示装置の表示結果が導出表示されることにより１ゲームが終了すると共に、予め定められた所定条件を満たすときに、遊技者にとって有利な遊技状態である第１の特別遊技状態（いわゆるビッグボーナス）と、該第１の特別遊技状態とは異なる遊技者にとって有利な遊技状態である第２の特別遊技状態（いわゆるレギュラーボーナス）が発生するパチスロ台でも良い。このパチスロ台からは、遊技関連情報として、前記ゲーム数を特定可能なスタート信号，前記ビッグボーナスの発生を特定可能な特賞信号，前記レギュラーボーナスの発生を特定可能なＲＥＧボーナス信号，該ビッグボーナス及びレギュラーボーナス以外の遊技者にとって有利な遊技状態（例えばアシストタイムや、特別遊技状態の発生確率が通常確率から高確率に変動する確率変動状態）の発生を特定可能な確変信号，使用されたメダル数を特定可能なアウト玉信号，及び払い出されたメダル数を特定可能なセーフ玉信号の各種の信号が出力される。またパチスロ台からも、前記異常信号やエラー信号が出力される。
【００２６】
玉貸ユニットＵは、パチンコ台Ｐに対応して（ここではパチンコ台Ｐの左側に隣接して）設けられており、該パチンコ台Ｐと同一の接続端子に接続される。この玉貸ユニットＵは、貨幣（例えば１００円硬貨，５００円硬貨，又は１０００円紙幣）を受け付け、該受け付けた貨幣を識別し、該識別された貨幣額に相当するパチンコ玉を、玉貸ユニットＵの内部に設けられた玉払出装置から払い出して貸し出すもの（いわゆる現金ユニット）である。この玉貸ユニットＵからは、遊技関連情報として、パチンコ玉の貸出が行われた場合に、該貸出に使用された貨幣額を特定可能な現金売上信号が出力される。なお玉貸ユニットＵにて受け付けられた貨幣は、遊技島２の内部に設けられた金庫に収集されて保管される。
【００２７】
また玉貸ユニットＵは、遊技に使用可能な遊技用有価価値の大きさ（例えば残度数）を特定可能な情報が記録された記録媒体（例えばプリペイドカード）を受け付け、該受け付けた記録媒体の記録情報を読み取り、該読み取った記録情報から特定される遊技用有価価値の大きさの範囲内における所定の遊技用有価価値の大きさに相当するパチンコ玉を、パチンコ台Ｐとの間でパチンコ玉の貸出に関する信号のやり取りを行うことによりパチンコ台Ｐの内部に設けられた玉払出装置から払い出して貸し出すもの（いわゆるＣＲユニット）でも良い。この玉貸ユニットＵからは、遊技関連情報として、パチンコ玉の貸出が行われた場合に、該貸出に使用された遊技用有価価値の大きさを特定可能なＣＲ売上信号が出力される。なお玉貸ユニットＵにて使用されるプリペイドカードは、遊技島２の端部や中央部等に設けられた販売機にて販売される。
【００２８】
なお前記遊技台がパチンコ台Ｐではなくパチスロ台である場合には、該パチスロ台に対応して玉貸ユニットＵではなくメダル貸ユニットが設けられ、このメダル貸ユニットからは、遊技関連情報として、メダルの貸出が行われた場合に、前記現金売上情報又はＣＲ売上情報が出力される。
【００２９】
呼出ランプＬは、パチンコ台Ｐに対応して（ここではパチンコ台Ｐの上側に隣接して）設けられており、該パチンコ台Ｐと同一の接続端子に接続される。この呼出ランプＬは、遊技場の店員を呼び出すためのものであり、該呼出を受け付けるための呼出ボタンが設けられている。この呼出ランプＬからは、該呼出ボタンが操作された場合に、パルス状の呼出信号が出力され、該呼出ボタンが再度操作された場合に、パルス状の呼出解除信号が出力される。
【００３０】
以上に説明した各種の信号（遊技関連情報を含む）は、パチンコ台Ｐ，玉貸ユニットＵ，及び呼出ランプＬから出力されて台端末１０にパラレル転送され、台端末１０でシリアル変換されて中継コンピュータ２０にシリアル転送され、中継コンピュータ２０から遊技台管理装置３０に送信される。
【００３１】
遊技台管理装置３０は、遊技台における遊技に関連して発生する遊技関連情報を収集して管理すると共に、遊技場内に配置された複数の遊技島２に設けられる複数の遊技台の稼働状況を管理するものである。この遊技台管理装置３０は、図１に示すように接続される通信部３１，制御部３２，ハードディスク３３，ディスプレイ３４，及び入力装置３５等を備えている。ここでハードディスク３３には、遊技台ＤＢ３３ａが記憶されている。
【００３２】
通信部３１は、中継コンピュータ２０と通信可能に接続され、遊技台管理装置３０と中継コンピュータ２０との間における通信を司るものである。これにより、前述の如く、パチンコ台Ｐ，玉貸ユニットＵ，及び呼出ランプＬにて発生した各種の信号（遊技関連情報を含む）が台端末１０と中継コンピュータ２０を介して遊技台管理装置３０に送信される。また遊技台管理装置３０において、あるパチンコ台Ｐを打止にする処理が行われた場合に、パルス状の打止信号が該パチンコ台Ｐに送信され、該打止を解除する処理が行われた場合に、パルス状の打止解除信号が該パチンコ台Ｐに送信される。
【００３３】
制御部３２は、ＣＰＵ，ＲＡＭ，ＲＯＭ等を備えるコンピュータであり、ハードディスク３３に記憶されている処理プログラムがＲＡＭを作業領域としてＣＰＵで実行されることにより、遊技台管理装置３０の全体を制御して各種の処理を行うものである。この制御部３２は、ディスプレイ３４の表示画面に表示させる表示内容の制御を行う表示制御手段として機能するものであり、ここでは複数の遊技島２のレイアウトを表示画面に表示させ、該表示画面に表示された各遊技島２に属する複数の遊技台の現在の状況を表示させる制御を行い、また後述する遊技台検索手段により検索された遊技台の台番号を表示画面に一覧表示させる制御を行う。また制御部３２は、後述する状況選択手段により選択された状況にある遊技台を検索する遊技台検索手段として機能するものである。
【００３４】
遊技台ＤＢ３３ａは、図２に示すように、遊技台の台番号に対応付けて、該遊技台の遊技関連情報及び該遊技台の稼働状況として現在の状況を記憶するものである。この遊技台ＤＢ３３ａには、日付毎にデータテーブルが設けられており、各データテーブルにおいては、遊技台の台番号に対応付けて、該遊技台の機種を特定可能な情報である機種番号，該遊技台の機種名，該遊技台の遊技関連情報，及び該遊技台の現在の状況が記憶される。
【００３５】
この遊技関連情報としては、セーフ玉信号の受信数がカウントされるセーフ玉数，アウト玉信号の受信数がカウントされるアウト玉数，アウト玉数−セーフ玉数の式で算出される差玉数，（セーフ玉数÷アウト玉数）×１００の式で算出される出玉率，スタート信号の受信数がカウントされるスタート回数，特賞信号の受信数がカウントされる特賞回数，確変信号の受信数がカウントされる確変回数，及び現金売上信号又はＣＲ売上信号の受信に基づいて算出される売上金額等が記憶される。
【００３６】
また現在の状況としては、異常中であるか否か，エラー中であるか否か，呼出中であるか否か，打止中であるか否か，特賞中であるか否か，確変中であるか否か，稼働中又は非稼働（即ち空き台）のいずれであるか，及び該非稼働の時間が記憶される。
【００３７】
ここで異常信号を受信している間は異常中であると記憶され、該異常信号を受信しなくなったときに異常中でないと記憶される。またエラー信号を受信している間はエラー中であると記憶され、該エラー信号を受信しなくなったときにエラー中でないと記憶される。また呼出信号を受信した場合に呼出中であると記憶され、読み出し解除信号を受信した場合に呼出中でないと記憶される。また打止信号を送信した場合に打止中であると記憶され、打止解除信号を送信した場合に打止中でないと記憶される。
【００３８】
また特賞信号を受信している間は特賞中であると記憶され、該特賞信号を受信しなくなったときに特賞中でないと記憶される。また確変信号を受信している間は確変中であると記憶され、該確変信号を受信しなくなったときに確変中でないと記憶される。また遅延回路により遅延されたアウト玉信号を継続的に受信している間は稼働中であると記憶され、該遅延回路により遅延されたアウト玉信号を継続的に受信しなくなったときに非稼働（即ち空き台）であると記憶される。さらに該非稼働であると記憶されてからの時間がタイマにより計時されて、該計時された時間が非稼働の時間として記憶される。
【００３９】
表示画面であるディスプレイ３４は各種の情報を表示するためのものであり、例えば液晶表示器である。入力装置３５は各種の入力を受け付けるためのものであり、例えばキーボード及びマウスである。これらディスプレイ３４及び入力装置３５は、前記表示画面に表示された複数の遊技島２の中から希望する遊技島２の選択を受け付ける遊技島選択手段，及び複数の遊技台の現在の状況に対する選択を受け付ける状況選択手段として機能するものである。
【００４０】
以下、図３〜図１１を参照して、遊技台管理装置３０におけるディスプレイ３４の表示及び入力装置３５の操作について説明する。ここで図３〜図６は、遊技場の非営業中に表示される設定画面であり、図７〜図１１は、遊技場の営業中に表示される営業表示画面である。なお各画面に表示される「←」，「→」，「↑」，及び「↓」の各ボタンはスクロールボタンであり、該ボタンが操作された方向に画面がスクロール（遷移）する。
【００４１】
まず図３は遊技台管理装置３０のディスプレイ３４に表示される基本設定画面の一例を表す図である。遊技台管理装置３０では、図示しない配置設定画面上のメニューから基本設定メニューが選択されると、図３に示す基本設定画面がディスプレイ３４に表示されて、基本情報設定が可能となる。この基本設定画面では、画面の中央に、「１．遊技台番号」，及び「２．周辺表示範囲」の各項目について設定するためのボタンが表示される。
【００４２】
まず「１．遊技台番号」の項目は、遊技台管理装置３０にて管理する遊技台の台番号を、一般に遊技場において嫌われる４と９を抜いて設定するか、あるいは連続で設定するかを選択するための項目であり、該選択を受け付けるための「４・９抜き」ボタンと「連続ボタン」が表示される。ここで初期状態では「４・９抜き」ボタンが選択されており、図示の如く該「４・９抜き」ボタンが白抜きで反転表示されると共に、パチンコ台Ｐの台番号が４と９を抜いて設定されているが、入力装置３５が操作されて「連続」ボタンが選択されると、設定が変更されて、図示しないが該「連続」ボタンが白抜きで反転表示されると共に、遊技台の台番号が連続で設定される。
【００４３】
また「２．周辺表示範囲」の項目は、後述する図７に示す営業中拡大表示画面で、選択された遊技島２を拡大表示する際に、該選択された遊技島を中心にして拡大表示する他の遊技島の範囲を選択するための項目であり、該選択を受け付けるための「左右２島（計５島）」ボタン，「左右３島（計７島）」ボタン，及び「左右４島（計９島）」ボタンが表示される。ここで初期状態では「左右２島（計５島）」ボタンが選択されており、図示の如く該「左右２島（計５島）」ボタンが白抜きで反転表示されると共に、周辺表示範囲として左右２島（計５島）が設定されているが、入力装置３５が操作されて「左右３島（計７島）」ボタン又は「左右４島（計９島）」ボタンが選択されると、設定が変更されて、周辺表示範囲として左右３島（計７島）又は左右４島（計９島）が設定される。
【００４４】
なお画面の右側に表示されるサブメニューにおいて、「印刷開始」ボタンが操作されると、設定された基本設定の内容がプリンタから出力され、「設定保存」ボタンが操作されると、設定された基本設定の内容が保存され、「クリア」ボタンが操作されると、設定された基本設定の内容がすべてクリアされ、「設定解除」ボタンが操作されると、基本設定の内容が初期状態に戻され、「管理画面」ボタンが操作されると、管理画面に戻り、「戻る」ボタンが操作されると、図示しない配置設定画面に戻る。
【００４５】
次に図４は遊技台管理装置３０のディスプレイ３４に表示される遊技島設定画面の一例を表す図である。遊技台管理装置３０では、図示しない配置設定画面上のメニューから遊技島設定メニューが選択されると、図４に示す遊技島設定画面がディスプレイ３４に表示されて、遊技島設定が可能となる。この遊技島設定画面では、画面の中央に、遊技島２の島番号を入力するための「島番号」入力領域，遊技島２に設けられている先頭の遊技台の台番号を入力するための「先頭台番号」入力領域，遊技島２に設けられている遊技台の台数を入力するための「台数」入力領域，遊技島２に設けられている終端の遊技台の台番号を入力するための「終了台番号」入力領域，遊技島２に設けられている遊技台の機種を特定可能な機種番号を入力するための「機種番号」入力領域，及び遊技島２に設けられている遊技台のタイプがパチンコ台Ｐ（Ｐ）であるかパチスロ台（Ｓ）であるかを入力するための「タイプ」入力領域が設けられる。
【００４６】
この図４に示す遊技島設定画面がディスプレイ３４に表示されている状態で入力装置３５が操作され、各入力領域において、「島番号」に対応付けて「先頭台番号」，「台数」，「終了台番号」，「機種番号」，及び「タイプ」が入力されると、遊技島２の島番号（例えば島１）に対応付けて遊技台の台番号（例えば１番台〜１０番台（ただし４番台と９番台は欠番））が設定される。
【００４７】
なお画面の右側に表示されるサブメニューにおいて、「印刷開始」ボタンが操作されると、遊技島設定の設定内容がプリンタから出力され、「設定保存」ボタンが操作されると、遊技島設定の設定内容が保存され、「クリア」ボタンが操作されると、遊技島設定の設定内容がすべてクリアされ、「管理画面」ボタンが操作されると、管理画面に戻り、「戻る」ボタンが操作されると、図示しない配置設定画面に戻る。
【００４８】
次に図５は遊技台管理装置３０のディスプレイ３４に表示されるレイアウト設定画面の一例を表す図であり、図６は前記レイアウト設定画面上に表示される島情報設定ウィンドゥの一例を表す図である。遊技台管理装置３０では、図示しない配置設定画面上のメニューからレイアウト設定メニューが選択されると、図５に示すレイアウト設定画面がディスプレイ３４に表示されて、遊技島２のレイアウト設定が可能となる。このレイアウト設定画面では、画面の中央に、表示制御手段として機能する制御部３２の制御により、前記図４に示す遊技島設定画面による設定に基づいて、複数（ここではすべて）の遊技島２のレイアウトが一画面中に表示されると共に、その際に、各遊技島２の島番号及び該遊技島２に設けられている先頭の遊技台の台番号（即ち先頭台番号）も含んで表示される。
【００４９】
この図５に示すレイアウト設定画面がディスプレイ３４に表示されている状態で入力装置３５が操作され、該レイアウトに表示された遊技島２（例えば島１）が選択されると、該レイアウト設定画面上に図６に示す島情報設定ウィンドゥが表示されて、島情報設定が可能となる。この島情報設定ウィンドゥが表示されている状態で入力装置３５が操作され、「Ｘ位置」入力領域及び「Ｙ位置」入力領域に数値が入力されて「適用」ボタンが操作されると、前記レイアウトにおける遊技島２の位置が該入力された数値より特定される位置に設定され、また「ドラッグ」ボタンが操作されると、前記レイアウトにおいて遊技島２を移動させることができるようになり、前記レイアウトにおいてドラッグにより遊技島２の位置が移動されて「適用」ボタンが操作されると、前記レイアウトにおける遊技島２の位置が該移動された位置に設定され、また「縦方向」ボタン又は「横方向」ボタンが操作されて「適用」ボタンが操作されると、前記レイアウトに表示される遊技島２の形状が該操作されたボタンに対応する形状に変更され、「閉じる」ボタンが操作されると、島情報設定ウィンドゥが閉じる。
【００５０】
なお図５に示す画面の右側に表示されるサブメニューにおいて、「設定保存」ボタンが操作されると、レイアウト設定の設定内容が保存され、「クリア」ボタンが操作されると、レイアウト設定の設定内容がすべてクリアされ、「管理画面」ボタンが操作されると、管理画面に戻り、「戻る」ボタンが操作されると、図示しない配置設定画面に戻る。
【００５１】
次に図７は遊技台管理装置３０のディスプレイ３４に表示される営業中全体表示画面の一例を表す図である。遊技台管理装置３０では、図示しない営業表示画面上のメニューから営業中全体表示メニューが選択されると、図７に示す営業中全体表示画面がディスプレイ３４に表示される。この営業中全体表示画面では、画面の中央に、表示制御手段として機能する制御部３２の制御により、前記図４に示す遊技島設定画面による設定に基づいて、複数（ここではすべて）の遊技島２のレイアウトが一画面中に表示され、前記遊技台ＤＢ３３ａにより記憶されている現在の状況に基づいて、該表示画面に表示された各遊技島２に属する複数の遊技台の現在の状況が表示される。
【００５２】
この現在の状況は記号で表示され、具体的には、異常中である遊技台については□印，エラー中である遊技台については■印，呼出中である遊技台については○印，打止中である遊技台については●印（以上「前者の状況」という。），特賞中である遊技台については☆印，確変中である遊技台については★印，稼働中である遊技台については△印，及び空き台については▲印（以上「後者の状況」という。）で表示される。なお前者の状況と後者の状況が重複する場合には、前者の状況が優先的に表示され、該前者の状況が解除された場合に後者の状況が表示される。具体的には、特賞中を示す☆印が表示されている状態で呼出中となった場合には、呼出中を示す○印が表示され、該呼出中が解除された場合に特賞中を示す☆印が再び表示される。
【００５３】
しかしながら、複数（ここではすべて）の遊技島のレイアウトを表示画面に表示し、該表示画面に表示された各遊技島２に属する複数の遊技台の現在の状況を表示する営業中全体表示画面では、遊技台の台数がある程度（例えば数百台）以上になると、該遊技台の現在の状況の表示が小さくなって視認するのが困難になる。そこで図７に示す営業中全体表示画面がディスプレイ３４に表示されている状態で入力装置３５が操作され、該表示画面に表示された複数の遊技島２の中から希望する遊技島２（例えば島３）が選択されると、次に述べる図８に示す営業中拡大表示画面がディスプレイ３４に表示される。
【００５４】
ここで図７に示す営業中全体表示画面では、表示制御手段として機能する制御部３２の制御により、複数（ここではすべて）の遊技島２を一画面中に表示させる際に、前記図４に示す遊技島設定画面による設定に基づいて、各遊技島２の島番号及び該遊技島２に属する先頭の遊技台の台番号（即ち先頭台番号）も含んで表示されるので、各遊技島２に設けられている遊技台のおおよその台番号を容易に把握でき、拡大表示を希望する遊技島２を選択する際の目安にすることができる。
【００５５】
なお画面の右側に表示されるサブメニューにおいて、「管理画面」ボタンが操作されると、管理画面に戻り、「戻る」ボタンが操作されると、図示しない営業表示画面に戻る。また、いずれかの状況検索ボタン（「異常中」ボタン，「エラー中」ボタン，「呼出中」ボタン，「打止中」ボタン，「特賞中」ボタン，「確変中」ボタン，「稼働中」ボタン，又は「空き台」ボタン）が操作されて遊技台の特定の現在の状況の選択が受け付けられると、後述する図９〜図１１に示すような検索結果表示画面がディスプレイ３４に表示される。
【００５６】
次に図８は遊技台管理装置３０のディスプレイ３４に表示される営業中拡大表示画面の一例を表す図である。この営業中拡大表示画面では、画面の中央に、表示制御手段として機能する制御部３２の制御により、前記選択された遊技島２が前記一画面中（即ち図７に示す営業中全体表示画面）に表示される遊技島２の大きさよりも拡大されて表示される。具体的には、拡大表示された遊技島上に、該遊技島２の島番号，該遊技島２に属する各遊技台の台番号と現在の状況を示す記号が表示される。このように、表示画面に表示された複数の遊技島２の中から希望により選択された遊技島２が、一画面中に表示された遊技島２の大きさよりも拡大されて表示されるので、該遊技島２に属する複数の遊技台の現在の状況を容易に視認でき、該現在の状況に応じた対応を敏速に行うことができる。
【００５７】
ここで図８に示す営業中拡大表示画面では、表示制御手段として機能する制御部３２の制御により、前記選択された遊技島２を前記一画面中（即ち図７に示す営業中全体表示画面）に表示される遊技島２の大きさよりも拡大して表示させる際に、前記図３に示す基本設定画面による周辺表示範囲の設定に基づいて、該選択された遊技島２の周辺に配置されている他の遊技島２も拡大して表示される。具体的には、ここでは周辺表示範囲として左右２島（計５島）が設定されているので、島３が選択された場合には、該選択された島３を中心にして、左側に島１と島２，右側に島４と島５の計５島が、表示画面一杯の表示サイズに拡大されて表示される。ただし、例えば遊技場の外壁に近い島１が選択された場合には、該選択された島１を中心にして、左側には２島分の空白が表示され、右側に島２と島３が表示される。このように、表示画面に表示された複数の遊技島２の中から希望により選択された遊技島２の周辺に配置されている他の遊技島２も拡大されて表示されるので、拡大表示を希望する遊技島２の周辺に配置されている他の遊技島２を誤って選択しても再度選択し直す必要がなく、該希望する遊技島２に属する複数の遊技台の現在の状況を容易に視認できる。
【００５８】
さらに図８に示す営業中拡大表示画面において、各遊技島上に表示される各遊技台のボタンが操作されると、表示制御手段として機能する制御部３２の制御により、前記遊技台ＤＢ３３ａにより記憶されている遊技関連情報に基づいて、該操作されたボタンに対応する遊技台の遊技関連情報がディスプレイ３４の表示画面に表示されるので、該遊技台の遊技関連情報を確認することができる。
【００５９】
なお画面の右側に表示されるサブメニューにおいて、「管理画面」ボタンが操作されると、管理画面に戻り、「戻る」ボタンが操作されると、図７に示す営業中全体表示画面に戻る。また、いずれかの状況検索ボタン（「異常中」ボタン，「エラー中」ボタン，「呼出中」ボタン，「打止中」ボタン，「特賞中」ボタン，「確変中」ボタン，「稼働中」ボタン，又は「空き台」ボタン）が操作されて遊技台の特定の現在の状況の選択が受け付けられると、次に述べる図９〜図１１に示すような検索結果表示画面がディスプレイ３４に表示される。
【００６０】
次に図９は遊技台管理装置３０のディスプレイ３４に表示される検索結果表示画面（異常中）の一例を表す図である。前記図７又は図８に示す画面の右側に表示されるサブメニューにおいて、「異常中」ボタンが操作されると、遊技台検索手段として機能する制御部３２により、前記遊技台ＤＢ３３ａにより記憶されている現在の状況に基づいて、該異常中の遊技台が検索され、表示制御手段として機能する制御部３２の制御により、図９に示す検索結果表示画面（異常中）がディスプレイ３４に表示される。この検索結果表示画面（異常中）では、異常中の遊技台の台番号が表示画面に一覧表示されると共に、異常履歴（該異常の発生日時，該異常が発生した遊技台の台番号，及び該異常の内容）が最新順に表示される。
【００６１】
なお前記図７又は図８に示す画面の右側に表示されるサブメニューにおいて、「エラー中」ボタン，「呼出中」ボタン，又は「打止中」ボタンが操作された場合にも、遊技台検索手段として機能する制御部３２により、前記遊技台ＤＢ３３ａにより記憶されている現在の状況に基づいて、該エラー中，呼出中，又は打止中の遊技台が検索され、表示制御手段として機能する制御部３２の制御により、図９に示す画面に準じた検索結果表示画面がディスプレイ３４に表示される。
【００６２】
また図１０は遊技台管理装置３０のディスプレイ３４に表示される検索結果表示画面（特賞中）の一例を表す図である。前記図７又は図８に示す画面の右側に表示されるサブメニューにおいて、「特賞中」ボタンが操作されると、遊技台検索手段として機能する制御部３２により、前記遊技台ＤＢ３３ａにより記憶されている現在の状況に基づいて、該特賞中の遊技台が検索され、表示制御手段として機能する制御部３２の制御により、図１０に示す検索結果表示画面（特賞中）がディスプレイ３４に表示される。この検索結果表示画面（特賞中）では、特賞中の遊技台の台番号が表示画面に一覧表示されると共に、特賞履歴（該特賞の発生日時，該特賞が発生した遊技台の台番号，該特賞の種別，該遊技台の特賞回数，及び該遊技台の確変回数）が最新順に表示される。
【００６３】
なお前記図７又は図８に示す画面の右側に表示されるサブメニューにおいて、「確変中」ボタンが操作された場合にも、遊技台検索手段として機能する制御部３２により、前記遊技台ＤＢ３３ａにより記憶されている現在の状況に基づいて、該確変中の遊技台が検索され、表示制御手段として機能する制御部３２の制御により、図１０に示す画面に準じた検索結果表示画面がディスプレイ３４に表示される。
【００６４】
さらに図１１は遊技台管理装置３０のディスプレイ３４に表示される検索結果表示画面（空き台）の一例を表す図である。前記図７又は図８に示す画面の右側に表示されるサブメニューにおいて、「空き台」ボタンが操作されると、遊技台検索手段として機能する制御部３２により、前記遊技台ＤＢ３３ａにより記憶されている現在の状況に基づいて、非稼働の遊技台が検索され、表示制御手段として機能する制御部３２の制御により、図１１に示す検索結果表示画面（空き台）がディスプレイ３４に表示される。この検索結果表示画面（空き台）では、非稼働の遊技台の台番号と共に該非稼働の時間が表示画面に一覧表示される。
【００６５】
なお前記図７又は図８に示す画面の右側に表示されるサブメニューにおいて、「稼働中」ボタンが操作された場合にも、遊技台検索手段として機能する制御部３２により、前記遊技台ＤＢ３３ａにより記憶されている現在の状況に基づいて、該稼働中の遊技台が検索され、表示制御手段として機能する制御部３２の制御により、図１１に示す画面に準じた検索結果表示画面がディスプレイ３４に表示される。ただし稼働時間は表示されない。
【００６６】
以上に説明したように、図９〜図１１では、選択された状況にある遊技台が表示画面に一覧表示されるので、該選択された状況に応じた対応を敏速に行うことができる。特に図１１では、非稼働の遊技台の台番号と共に該非稼働の時間が表示画面に一覧表示されるので、該遊技台に遊技者を導くための参考にできると共に、不人気の機種を把握して遊技台の入替等の目安にすることができる。
【００６７】
なお図９〜図１１に示す画面の右側に表示されるサブメニューにおいて、「Ｐ台選択」ボタンが操作されると、前記検索された遊技台のうちのパチンコ台Ｐについてのみ表示され、「Ｓ台選択」ボタンが操作されると、前記検索された遊技台のうちのパチスロ台についてのみ表示され、「選択解除」ボタンが操作されると、前記Ｐ台選択又はＳ台選択が解除されて前記検索された遊技台のすべてについて表示され、前記一覧表示に表示される遊技台のボタンが選択されている状態で「個別印刷」ボタンが操作されると、該選択された遊技台の個別情報が印刷され、「管理画面」ボタンが操作されると、管理画面に戻り、「戻る」ボタンが操作されると、図７に示す営業中全体表示画面に戻る。
【００６８】
以上に説明した実施形態と対応付けて本願の請求項に係る発明を説明すると、以下のとおりである。
【００６９】
まず請求項１に係る発明は、遊技場内に配置された複数の遊技島（２）に設けられる複数の遊技台（パチンコ台Ｐ）の稼働状況を管理する遊技台管理装置（３０）であって、前記複数の遊技島のレイアウトを（ディスプレイ３４の）表示画面に表示させ、該表示画面に表示された各遊技島に属する前記複数の遊技台の現在の状況を表示させる制御を行う表示制御手段（制御部３２）と、前記表示画面に表示された前記複数の遊技島の中から希望する遊技島の選択を受け付ける遊技島選択手段（ディスプレイ３４及び入力装置３５）と、を備え、前記表示制御手段（制御部３２）は、前記遊技島選択手段による選択が行われていない際は、前記複数の遊技島を一画面中に表示させる制御を行い、前記遊技島選択手段による選択が行われた際は、該選択された遊技島を前記一画面中に表示させる遊技島の大きさよりも拡大して表示させる制御を行うことを特徴とする遊技台管理装置である。
【００７０】
また請求項２に係る発明は、請求項１に記載した遊技台管理装置（３０）であって、前記表示制御手段（制御部３２）は、前記選択された遊技島（２）を前記一画面中に表示させる遊技島の大きさよりも拡大して表示させる際に、該選択された遊技島の周辺に配置されている他の遊技島も拡大して表示させる制御を行うことを特徴とする遊技台管理装置である。
【００７１】
また請求項３に係る発明は、請求項１又は２に記載した遊技台管理装置（３０）であって、前記表示制御手段（制御部３２）は、前記複数の遊技島（２）を一画面中に表示させる際に、各遊技島の島番号及び該遊技島に属する先頭の遊技台（パチンコ台Ｐ）の台番号を含んで表示させる制御を行うことを特徴とする遊技台管理装置である。
【００７２】
また請求項４に係る発明は、請求項１〜３のいずれか１つに記載した遊技台管理装置（３０）であって、前記複数の遊技台（パチンコ台Ｐ）の現在の状況に対する選択を受け付ける状況選択手段（ディスプレイ３４及び入力装置３５）と、該状況選択手段により選択された状況にある遊技台を検索する遊技台検索手段（制御部３２）と、をさらに備え、前記表示制御手段（制御部３２）は、該遊技台検索手段により検索された遊技台の台番号を前記（ディスプレイ３４の）表示画面に一覧表示させる制御を行うことを特徴とする遊技台管理装置である。
【００７３】
さらに請求項５に係る発明は、請求項４に記載した遊技台管理装置（３０）であって、前記状況選択手段（ディスプレイ３４及び入力装置３５）により非稼働である遊技台（パチンコ台Ｐ）の選択がされた際に、前記表示制御手段（制御部３２）は、前記遊技台検索手段（制御部３２）により検索された非稼働の遊技台の台番号と共に該非稼働の時間を前記（ディスプレイ３４の）表示画面に一覧表示させる制御を行うことを特徴とする遊技台管理装置である。
【００７４】
最後に、本発明の変形例について説明する。
【００７５】
上記の実施形態では、台端末１０が４つの接続端子Ａ，Ｂ，Ｃ，Ｄを有する例について説明したが、これに限らず、台端末１０が有する接続端子の数は、１つ，又は複数でも良い。
【００７６】
上記の実施形態では、遊技島２に８台の遊技台が設けられる例について説明したが、これに限らず、遊技島２に設けられる遊技台の台数は特に限定されず、また遊技島２には遊技台以外の金庫，計数機，販売機が設けられるようにしても良い。
【００７７】
上記の実施形態では、遊技台管理装置３０が単一の装置で構成される例について説明したが、これに限らず、該遊技台管理装置３０は、例えば遊技場の景品カウンタ等に設置されるカウンタコンピュータと、遊技場の管理事務所等に設置される管理コンピュータのように、各機能が分散された複数の装置で構成されるものでも良い。
【００７８】
上記の実施形態では、各種の情報を表示するディスプレイ３４と各種の入力を受け付ける入力装置３５が別個の装置で構成される例について説明したが、これに限らず、例えば各種の情報を表示すると共に各種の入力を受け付けるタッチパネル式のディスプレイにより構成されるものでも良い。
【００７９】
上記の実施形態では、図７に示す営業中全体表示画面において、遊技場内に配置されたすべての遊技島が一画面中に表示される例について説明したが、これに限らず、該営業中全体表示画面を複数ページに分割し、該分割された複数ページ毎に複数の遊技島２が表示されるようにしても良い。
【００８０】
上記の実施形態では、図７に示す営業中全体表示画面において、図８に示す営業中拡大表示画面において拡大表示する一つの遊技島２を選択する例について説明したが、これに限らず、図８に示す営業中拡大表示画面において拡大表示する複数の遊技島２を同時に選択し、該選択された複数の遊技島２が拡大表示されるようにしても良い。
【００８１】
上記の実施形態では、図８に示す営業中拡大表示画面において、選択された遊技島２の周辺に配置される他の遊技島２も拡大表示される例について説明したが、これに限らず、該選択された遊技島２のみが拡大表示されるようにしても良い。また選択された遊技島２が表示画面の中心に拡大表示される例について説明したが、これに限らず、該選択された遊技島が表示画面の左端や右端等の任意の位置に拡大表示されるようにしても良い。また図４に示す基本設定画面において、周辺表示範囲を遊技場側が任意に設定できるようにしても良く、さらに選択された遊技島２の上下２方向，あるいは上下左右の４方向等の任意の方向が拡大表示されるようにしても良い。
【００８２】
上記の実施形態では、図７に示す営業中全体表示画面及び図８に示す営業中拡大表示画面において、遊技台の現在の状況が記号により表示される例について説明したが、これに限らず、該遊技台の現在の状況は、例えば色分けして表示したり、文字により表示するようにしても良い。
【００８３】
【発明の効果】
本発明に係る遊技台管理装置によれば、以下のような効果を奏する。
【００８４】
まず請求項１に係る遊技台管理装置によれば、表示画面に表示された複数の遊技島の中から希望により選択された遊技島が、一画面中に表示された遊技島の大きさよりも拡大されて表示されるので、該遊技島に属する複数の遊技台の現在の状況を容易に視認でき、該現在の状況に応じた対応を敏速に行うことができる。
【００８５】
また請求項２に係る遊技台管理装置によれば、表示画面に表示された複数の遊技島の中から希望により選択された遊技島の周辺に配置されている他の遊技島も拡大されて表示されるので、拡大表示を希望する遊技島の周辺に配置されている他の遊技島を誤って選択しても再度選択し直す必要がなく、該希望する遊技島に属する複数の遊技台の現在の状況を容易に視認できる。
【００８６】
また請求項３に係る遊技台管理装置によれば、複数の遊技島を一画面中に表示させる際に、各遊技島の島番号及び該遊技島に属する先頭の遊技台の台番号を含んで表示されるので、各遊技島に設けられている遊技台のおおよその台番号を容易に把握でき、拡大表示を希望する遊技島を選択する際の目安にすることができる。
【００８７】
また請求項４に係る遊技台管理装置によれば、選択された状況にある遊技台が表示画面に一覧表示されるので、該選択された状況に応じた対応を敏速に行うことができる。
【００８８】
さらに請求項５に係る遊技台管理装置によれば、非稼働の遊技台の台番号と共に該非稼働の時間が表示画面に一覧表示されるので、該遊技台に遊技者を導くための参考にできると共に、不人気の機種を把握して遊技台の入替等の目安にすることができる。
【図面の簡単な説明】
【図１】図１は本発明に係る遊技台管理装置を含む遊技用管理システムの一例を表す図である。
【図２】図２は遊技台管理装置の遊技台ＤＢに記憶される遊技関連情報及び現在の状況の一例を表す図である。
【図３】図３は遊技台管理装置のディスプレイに表示される基本設定画面の一例を表す図である。
【図４】図４は遊技台管理装置のディスプレイに表示される遊技島設定画面の一例を表す図である。
【図５】図５は遊技台管理装置のディスプレイに表示されるレイアウト設定画面の一例を表す図である。
【図６】図６は前記レイアウト設定画面上に表示される島情報設定ウィンドゥの一例を表す図である。
【図７】図７は遊技台管理装置のディスプレイに表示される営業中全体表示画面の一例を表す図である。
【図８】図８は遊技台管理装置のディスプレイに表示される営業中拡大表示画面の一例を表す図である。
【図９】図９は遊技台管理装置のディスプレイに表示される検索結果表示画面（異常中）の一例を表す図である。
【図１０】図１０は遊技台管理装置のディスプレイに表示される検索結果表示画面（特賞中）の一例を表す図である。
【図１１】図１１は遊技台管理装置のディスプレイに表示される検索結果表示画面（空き台）の一例を表す図である。
【符号の説明】
１…遊技用管理システム
２…遊技島
１０…台端末
２０…中継コンピュータ
３０…遊技台管理装置
３１…通信部
３２…制御部
３３…ハードディスク
３３ａ…遊技台ＤＢ
３４…ディスプレイ
３５…入力装置
Ａ，Ｂ，Ｃ，Ｄ…接続端子
Ｐ…パチンコ台
Ｕ…玉貸ユニット
Ｌ…呼出ランプ
【図１】
2004089395.tif 000003
【図２】
2004089395.tif 000004
【図３】
2004089395.tif 000005
【図４】
2004089395.tif 000006
【図５】
2004089395.tif 000007
【図６】
2004089395.tif 000008
【図７】
2004089395.tif 000009
【図８】
2004089395.tif 000010
【図９】
2004089395.tif 000011
【図１０】
2004089395.tif 000012
【図１１】
2004089395.tif 000013